【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
発熱部を糸で構成するステップと、前記発熱部に樹脂を添着するステップと、樹脂を添着した前記発熱部を焼成するステップと、を包含した炭素系発熱体の製造方法。
【請求項２】
発熱部を糸で構成するステップと、前記発熱部に樹脂を含侵するステップと、樹脂を含侵した前記発熱部を焼成するステップと、を包含した炭素系発熱体の製造方法。
【請求項３】
予め樹脂を添着させた糸により発熱部を構成するステップと、前記発熱部を焼成するステップと、を包含した炭素系発熱体の製造方法。
【請求項４】
少なくとも１つの横糸が連続する縦糸の上下をクロスするように織り合わせて前記発熱部を構成することを特徴とする請求項１から請求項３のいずれかの請求項に記載の炭素系発熱体の製造方法。
【請求項５】
長手方向に延びる縦糸を三つ編み状、組紐状、もしくは真田紐状の紐になるように前記発熱部を構成することを特徴とする請求項１から請求項３のいずれかの請求項に記載の炭素系発熱体の製造方法。
【請求項６】
糸により織り込まれた紐の形態を筒状に編まれた紐、もしくは袋織り状の紐に形成して前記発熱部を構成することを特徴とする請求項１から請求項３のいずれかの請求項に記載の炭素系発熱体の製造方法。
【請求項７】
長手方向に連続する縦糸と、少なくとも１回の折り返しを有する幅方向に延びる横又は斜めの糸とを、少なくとも１つの糸が他の糸の上下をクロスするように織り合わせて前記発熱部を構成することを特徴とする請求項１から請求項３のいずれかの請求項に記載の炭素系発熱体の製造方法。
【請求項８】
請求項１から請求項７のいずれかの製造方法によって生成された炭素系発熱体を有するヒーター。
【請求項９】
請求項８に記載のヒーターを有することを特徴とする加熱装置。
【請求項１０】
糸で構成された発熱部と、糸と糸の間を連結補強する炭素を含有する保持部と、で構成されることを特徴とする炭素系発熱体。
【請求項１１】
請求項１０に記載の前記炭素系発熱体をガラス管に封止した構成からなることを特徴とするヒーター。
【請求項１２】
前記炭素系発熱体は、少なくとも１つの糸が連続する他の糸の上下をクロスするように、複数の糸を織り合わした物を焼成して形成されたことを特徴とする請求項１１に記載のヒーター。
【請求項１３】
前記複数の糸のうち、幅方向に延びる横又は斜めの糸が連続する１つの糸であることを特徴とする請求項１２に記載のヒーター。
【請求項１４】
前記炭素系発熱体は、長手方向に連続する糸と少なくとも１回の折り返しを有する幅方向に延びる横又は斜めの糸とを、少なくとも１つの糸が他の糸の上下をクロスするように、織り合わした物を焼成して形成されたことを特徴とする請求項１１に記載のヒーター。
【請求項１５】
前記炭素系発熱体が平板状に形成されたことを特徴とする請求項１１に記載のヒーター。
【請求項１６】
前記炭素系発熱体を複数層積層して形成されたことを特徴とする請求項１１に記載のヒーター。
【請求項１７】
前記炭素系発熱体が、長手方向に延びる細い縦糸と、幅方向に延びる太い横糸とからなることを特徴とする請求項１１に記載のヒーター。
【請求項１８】
前記炭素系発熱体が、長手方向に延びる太い縦糸と、幅方向に延びる細い横糸とからなることを特徴とする請求項１１に記載のヒーター。
【請求項１９】
前記炭素系発熱体の長手方向における一部分が複数の糸でクロスして形成されることを特徴とする請求項１１に記載のヒーター。
【請求項２０】
複数の糸にて薄板を形成し、複数の前記薄板を重ね合わせて構成された積層状の平板を作製し、樹脂にて形状を保持された前記平板を焼成して、前記炭素系発熱体を形成したことを特徴とする請求項１１に記載のヒーター。
【請求項２１】
複数の糸に予め樹脂を添着し、前記複数の糸により構成された複数の薄板を重ね合わせて構成された積層状の平板を焼成して、前記炭素系発熱体を形成したことを特徴とする請求項１１に記載のヒーター。
【請求項２２】
複数の糸により構成された薄板を複数枚重ね合わせて構成された積層状の平板に樹脂を添着・含浸した後焼成して、前記炭素系発熱体を形成したことを特徴とする請求項１１に記載のヒーター。
【請求項２３】
長手方向に延びる前記炭素系発熱体を保持する保持部材を、前記炭素系発熱体の両端部以外の位置に設けたことを特徴とする請求項１１に記載のヒーター。
【請求項２４】
前記炭素系発熱体の発熱部は、長手方向に延びる縦糸を三つ編み状、組紐状、もしくは真田紐状等の紐になるように形成されたことを特徴とする請求項１１に記載のヒーター。
【請求項２５】
前記炭素系発熱体の発熱部は、糸により織り込まれた紐の形態を筒状に編まれた紐、もしくは袋織り状の紐になるように形成されたことを特徴とする請求項１１に記載のヒーター。
【請求項２６】
請求項１１に記載のヒーターを有することを特徴とする加熱装置。
【請求項２７】
複数の糸が、長手方向に延びる縦糸と、幅方向又は斜めに延びる一回のみの折り返しを有する横糸とを含むヒーターを有し、前記横糸の折り返している側を上にして前記ヒーターを配置することを特徴とする請求項２６に記載の加熱装置。
【手続補正２】
【補正対象書類名】明細書
【補正対象項目名】０００９
【補正方法】変更
【補正の内容】
【０００９】
本発明の更に別の観点による上記の炭素系発熱体の製造方法は、前記発熱部を構成するステップにおいて、少なくとも１つの糸（横糸）が連続する他の糸（縦糸）の上下をクロスするように織り合わせる。
この発明によれば、少なくとも１つの糸と連続する他の糸がクロスする故に、炭素系発熱体の糸がばらけたり、断線を起こしたりすることのない所定の強度を有する炭素系発熱体を製造できる。この発明で製造される炭素系発熱体は、所定の抵抗値を得ることができ、用途に応じて任意の発熱量を有する。
本明細書において、「連続する糸」とは、糸の長さが炭素系発熱体の幅と比較して相当長いことを意味する。好ましくは、連続する糸とは、炭素系発熱体の長手方向の両端に達する長さである。
１つの糸が連続する他の糸の上下をクロスするように織り合わせる」とは、例えば複数の糸が少なくとも１つの横糸と複数の縦糸で構成される場合に、１つの横糸が複数の縦糸のそれぞれの上下を交互に（一つおきに上下を）通り、それぞれの縦糸はその横糸の上下を交互に通るように織り合わした物を意味する。
また、上記発熱部を長手方向に延びる縦糸を三つ編み状、組紐状、もしくは真田紐状の紐になるように構成しても良いし、糸により織り込まれた紐の形態を筒状に編まれた紐、もしくは袋織り状の紐に形成しても良い。
【手続補正３】
【補正対象書類名】明細書
【補正対象項目名】００１９
【補正方法】変更
【補正の内容】
【００１９】
本発明の更に別の観点による上記のヒーターにおいて、前記炭素系発熱体の長手方向における一部分が複数の糸でクロスして形成される。
長手方向に延びる縦糸に、幅方向に延びる横糸をクロスさせた箇所は発熱温度が低くなり、横糸がクロスしていない箇所は発熱温度が高くなる。この発明によれば、横糸を織りこむ箇所と織りこまない箇所とを設けることにより、長手方向に対して任意の輻射強度分布を有するヒーターを実現できる。
また、上記炭素系発熱体の発熱部を長手方向に延びる縦糸を三つ編み状、組紐状、もしくは真田紐状の紐になるように構成しても良いし、糸により織り込まれた紐の形態を筒状に編まれた紐、もしくは袋織り状の紐に形成しても良い。